(57)【特許請求の範囲】
【請求項１】
地面に左右間隔を有して一直線に複数のパイプ支柱を立設し、前記各パイプ支柱の奥行き方向へ前後間隔を有して列状に複数のパイプ支柱を立設し、列状に設けた前記各パイプ支柱の上端部よりも下部位置を前後連結パイプで連結することにより構成した支柱列と、   前記支柱列における前記各パイプ支柱の上端部に左右間隔を跨いで両端が連結され、左右中間部がアーチ状に上方へ突出した後部湾曲パイプと、該後部湾曲パイプよりも手前の位置において、左右間隔を跨いで両端が前記前後連結パイプに連結され、左右中間部がアーチ状に上方へ突出した前部湾曲パイプと、
左右端部の前記支柱列におけるパイプ支柱の上端部の間に張設して前記後部湾曲パイプの形状を保持する後部張線と、左右端部の前記支柱列における前記前後連結パイプに前記前部湾曲パイプが連結された連結部の間に張設して前記前部湾曲パイプの形状を保持する前部張線と、
左端部の前記支柱列における前記パイプ支柱の上端部と、左端部の前記支柱列における前記前後連結パイプに対する前記前部張線の固定部を左側外部の地面に固定する外側アンカと、右端部の前記支柱列における前記パイプ支柱の上端部と、右端部の前記支柱列における前記前後連結パイプに対する前記前部張線の固定部を右側外部の地面に固定する外側アンカと、
を有する発電モジュール取付台を構成し、
前記発電モジュール取付台の前記後部湾曲パイプと前記前部湾曲パイプの上部に渡るように太陽光発電モジュールを固定したことを特徴とする太陽光発電設備。
【請求項２】
前記パイプ支柱と前記前後連結パイプには、前記後部湾曲パイプ及び前記前部湾曲パイプの端部に嵌合して前記後部湾曲パイプ及び前記前部湾曲パイプを前記パイプ支柱及び前記前後連結パイプに連結するアーチジョイントを備えたことを特徴とする請求項１に記載の太陽光発電設備。
【請求項３】
前記支柱列の前記パイプ支柱に筋交パイプを備えたことを特徴とする請求項１又は２に記載の太陽光発電設備。
【請求項４】
前記支柱列の前記パイプ支柱を地面に固定する内側アンカを備えたことを特徴とする請求項１〜３のいずれか一つに記載の太陽光発電設備。
【請求項５】
前記各支柱列における前後の前記パイプ支柱は、前記後部湾曲パイプ及び前記前部湾曲パイプの上部に設けられる太陽光発電モジュールの前後の間が、平面視で太陽光発電モジュールの前後の幅に対して同等以上の採光間隔を有して太陽光を地面に導くことができる前後間隔で配置されたことを特徴とする請求項１〜４のいずれか一つに記載の太陽光発電設備。
【請求項６】
前記前部湾曲パイプに、採光間隔からの太陽光を散乱させる光散乱材を吊り下げて設けたことを特徴とする請求項５に記載の太陽光発電設備。
【発明の詳細な説明】
【技術分野】
【０００１】
本発明は、太陽光発電設備に関し、特に農地等に用いられる太陽光発電設備に関するものである。
【背景技術】
【０００２】
近年、火力発電によって排出されるＣＯ２による地球温暖化防止対策の手段として、又、原子力発電によって生じる放射性廃棄物の処理の問題を解決する手段として、再生可能エネルギーの一つである太陽光発電が注目され、急速に拡大されつつある。
【０００３】
しかし、太陽光発電は、設置面積に比して発電量が少ないことから、利用価値の高い都市近郊の土地に太陽光発電設備を設置することは経済的な面から難しい。このため、太陽光発電設備は、主に公共施設の建物の屋根、住宅の屋根、工場の屋根等に設置することが進められている。
【０００４】
一方、畑等で生産する作物には太陽から照射される光を全て必要とはせず、その光量の一部であっても十分に生育するものがあり、現在でも太陽光を遮断した屋内において少ない光量により野菜等を育てることが行われている。このため、農地においても太陽光発電設備を設置して、作物を栽培しつつ太陽光発電を行うことは可能であったが、農地転用に関する制度等のために、農地での作物の栽培と太陽光発電を両立させることは行われていなかった。
【０００５】
一方、近年、農林水産省より「パイプ支柱を立てて営農を継続する太陽光発電設備等についての農地転用許可制度上の取扱について」(２４農振第２６５７号、平成２５年３月３１日)とする通知があり、この制度を利用することにより、農地での営農を継続するという条件を満たすことで農地に太陽光発電設備を設置することが可能になった。
【０００６】
しかし、農地に太陽光発電設備を設置した場合には、太陽光発電設備による所定の発電量が得られるようにすると共に、作物の栽培に必要な光量が農地の地面に届くように工夫する必要がある。
【０００７】
農地等に設置するようにした太陽光発電設備としては、特許文献１、２に示すものがある。特許文献１は、農地に設けた平面視で狭い幅に対して長さが長い細長の架台に、発電用セルやモジュールを敷き詰めて細長のアレイを構成している。このアレイは、夫々の幅に対して、アレイの長手方向と直交する方向へ大きい空間で配置している。
【０００８】
又、特許文献２は、農地の上部に水平棚を設け、この水平棚に、南北に幅が狭く東西に長い棒状または翼状、板状の太陽光発電素子傾斜保持部材と太陽光発電モジュールとを一体にしたものを取り付けている。
【先行技術文献】
【特許文献】
【０００９】
【特許文献１】特開２０１１−１２９８５２号公報
【特許文献２】特開２００５−２７７０３８号公報
【発明の概要】
【発明が解決しようとする課題】
【００１０】
しかし、特許文献１においては、細長い架台に、発電用セルやモジュールを敷き詰めた複数のアレイが、アレイの幅に対して大きい空間を隔てて独立して設置されているため、各の強度を高めることが難しく、積雪による大きな重量の作用、或いは、風の吹き降ろしや吹き上げの負荷に耐えることが難しいという問題がある。
【００１１】
又、特許文献２においては、水平棚が独特の形状を有しているために水平棚を新たに製作する必要があり、更に、多数の細長い太陽光発電モジュールを水平棚に支持するための特別な形状の太陽光発電素子傾斜保持部材を多数製作する必要があり、このために太陽光発電設備全体が非常に高価になるという問題がある。
【００１２】
本発明は上述の実情に鑑みてなしたもので、既存の材料を用いて安価に製作することができ、しかも高い強度が保持される太陽光発電設備を提供することを目的とする。
【課題を解決するための手段】
【００１３】
本発明は、地面に左右間隔を有して一直線に複数のパイプ支柱を立設し、前記各パイプ支柱の奥行き方向へ前後間隔を有して列状に複数のパイプ支柱を立設し、列状に設けた前記各パイプ支柱の上端部よりも下部位置を前後連結パイプで連結することにより構成した支柱列と、
前記支柱列における前記各パイプ支柱の上端部に左右間隔を跨いで両端が連結され、左右中間部がアーチ状に上方へ突出した後部湾曲パイプと、該後部湾曲パイプよりも手前の位置において、左右間隔を跨いで両端が前記前後連結パイプに連結され、左右中間部がアーチ状に上方へ突出した前部湾曲パイプと、
左右端部の前記支柱列におけるパイプ支柱の上端部の間に張設して前記後部湾曲パイプの形状を保持する後部張線と、左右端部の前記支柱列における前記前後連結パイプに前記前部湾曲パイプが連結された連結部の間に張設して前記前部湾曲パイプの形状を保持する前部張線と、
左端部の前記支柱列における前記パイプ支柱の上端部と、左端部の前記支柱列における前記前後連結パイプに対する前記前部張線の固定部を左側外部の地面に固定する外側アンカと、右端部の前記支柱列における前記パイプ支柱の上端部と、右端部の前記支柱列における前記前後連結パイプに対する前記前部張線の固定部を右側外部の地面に固定する外側アンカと、
を有する発電モジュール取付台を構成し、
前記発電モジュール取付台の前記後部湾曲パイプと前記前部湾曲パイプの上部に渡るように太陽光発電モジュールを固定したことを特徴とする太陽光発電設備、に係るものである。
【００１４】
上記太陽光発電設備において、前記パイプ支柱と前記前後連結パイプには、前記後部湾曲パイプ及び前記前部湾曲パイプの端部に嵌合して前記後部湾曲パイプ及び前記前部湾曲パイプを前記パイプ支柱及び前記前後連結パイプに連結するアーチジョイントを備えることが好ましい。
【００１５】
又、上記太陽光発電設備において、前記支柱列の前記パイプ支柱に筋交パイプを備えることが好ましい。
【００１６】
又、上記太陽光発電設備において、前記支柱列の前記パイプ支柱を地面に固定する内側アンカを備えることが好ましい。
【００１７】
又、上記太陽光発電設備において、前記各支柱列における前後の前記パイプ支柱は、前記後部湾曲パイプ及び前記前部湾曲パイプの上部に設けられる太陽光発電モジュールの前後の間が、平面視で太陽光発電モジュールの前後の幅に対して同等以上の採光間隔を有して太陽光を地面に導くことができる前後間隔で配置されることが好ましい。
【００１８】
又、上記太陽光発電設備において、前記前部湾曲パイプに、採光間隔からの太陽光を散乱させる光散乱材を吊り下げて設けることが好ましい。
【発明の効果】
【００１９】
本発明によれば、既存の材料を用いて安価に製作することができ、しかも高い強度が保持された太陽光発電設備を提供できるという優れた効果を奏し得る。
【図面の簡単な説明】
【００２０】
【図１】(ａ)は農地に設けた本発明の太陽光発電設備の実施例を示す平面図、(ｂ)は(ａ)をＩＢ−ＩＢ方向から見た正面図、(ｃ)は(ｂ)をＩＣ−ＩＣ方向から見た側面図である。
【図２】後部湾曲パイプ及び後部湾曲パイプを連結するアーチジョイントの説明図である。
【図３】図１の太陽光発電設備の詳細を示す正面図である。
【図４】(ａ)はパイプ支柱に後部張線を固定するフックバンドの正面図、(ｂ)は(ａ)をＩＶＢ−ＩＶＢ方向から見た平面図である。
【図５】(ａ)は前後連結パイプに前部張線を固定するフックバンドの正面図、(ｂ)は(ａ)をＶＢ−ＶＢ方向から見た平面図である。
【図６】太陽光発電モジュールの相互間に設けられる間隔保持部材の上面斜視図である。
【図７】太陽光発電モジュールの端部に設けられる端部保持部材の上面斜視図である。
【図８】(ａ)は図６の間隔保持部材の正面図、(ｂ)は(ａ)をＶＩＩＩＢ−ＶＩＩＩＢ方向から見た平面図、(ｃ)は(ａ)をＶＩＩＩＣ−ＶＩＩＩＣ方向から見た側面図である。
【図９】(ａ)は図７の端部保持部材の正面図、(ｂ)は(ａ)をＩＸＢ−ＩＸＢ方向から見た平面図、(ｃ)は(ａ)をＩＸＣ−ＩＸＣ方向から見た側面図である。
【図１０】(ａ)は太陽光発電モジュールの位置ずれ防止部材の側面図、(ｂ)は(ａ)をＸＢ−ＸＢ方向から見た平面図である。
【図１１】図１の実施例に更に別の特徴を備えた実施例を示す太陽光発電設備の側面図である。
【図１２】図１１に示した光散乱材の詳細を示す正面図である。
【発明を実施するための形態】
【００２１】
以下、本発明の実施の形態を図示例と共に説明する。
【００２２】
図１(ａ)は農地に設けた本発明の太陽光発電設備の実施例を示す平面図、図１(ｂ)は図１(ａ)をＩＢ−ＩＢ方向から見た正面図、図１(ｃ)は図１(ａ)をＩＣ−ＩＣ方向から見た側面図である。
【００２３】
本発明の太陽光発電設備を設置する農地Ｎには、地面に対して左右間隔Ｋを保持するように一直線に複数のパイプ支柱１を立設する。更に、この各パイプ支柱１の奥行き方向へ前後間隔Ｌを有して複数のパイプ支柱１を列状に立設する。２は地面に立設するパイプ支柱１の埋め込み部である。前後方向に列状に配置した各パイプ支柱１の上端部１ａよりも下部位置には前後連結パイプ３を配置し、この前後連結パイプ３を市販の直交クランプ(図示せず)を用いてパイプ支柱１に連結することにより複数の支柱列４を構成する。
【００２４】
各支柱列４における左右に隣接したパイプ支柱１の上端部１ａには、左右間隔Ｋを跨ぐように配置した後部湾曲パイプ５の両端部を連結する。この後部湾曲パイプ５は、左右中間部がアーチ状に上方へ突出した湾曲形状を有している。
【００２５】
前後連結パイプ３における後部湾曲パイプ５が連結されたパイプ支柱１よりも手前の位置には、左右間隔Ｋを跨ぐように配置した前部湾曲パイプ６の両端部を連結する。この前部湾曲パイプ６は、左右中間部がアーチ状に上方へ突出した湾曲形状を有している。
【００２６】
前記各支柱列４における最も手前のパイプ支柱１の更に手前の位置には、追加支柱１'が立設してあり、この追加支柱１'の上端に前後連結パイプ３の前端が連結され、更に、前後連結パイプ３の前端に、前部湾曲パイプ６の両端部が連結される。
【００２７】
後部湾曲パイプ５は、図２に示すように、パイプ支柱１の上端部１ａに対してクランプ具７により固定されたアーチジョイント８によってパイプ支柱１に連結されており、前部湾曲パイプ６は、図２に示すように、前後連結パイプ３にクランプ具７により固定されたアーチジョイント９によって前後連結パイプ３に連結されている。アーチジョイント８，９はクランプ具７を溶接により一体化した構成を有する。
【００２８】
アーチジョイント８，９は、左右方向へ上向きに傾斜して延長された支持アーム１０を有しており、この支持アーム１０に後部湾曲パイプ５及び前部湾曲パイプ６の端部５'，６'を嵌合することにより、後部湾曲パイプ５をパイプ支柱１に連結し、前部湾曲パイプ６を前後連結パイプ３に連結することができる。
【００２９】
図１(ａ)、(ｂ)及び図３に示すように、左端部の支柱列４のパイプ支柱１の上端部１ａと右端部の支柱列４のパイプ支柱１の上端部１ａの間には、フックバンド(図４(ａ)のフックバンド１４ａを参照)によってパイプ支柱１に固定したターンバックル１１により緊張した後部張線１２を張設している。この後部張線１２により後部湾曲パイプ５は湾曲形状が保持されるようになっている。
【００３０】
又、左端部の支柱列４における前後連結パイプ３に前部湾曲パイプ６を連結した連結部と、右端部の支柱列４における前後連結パイプ３に前部湾曲パイプ６を連結した連結部との間にはターンバックル１１により緊張した前部張線１３を張設している。この前部張線１３により前部湾曲パイプ６は湾曲形状が保持されるようになっている。
【００３１】
左端部の支柱列４のパイプ支柱１と右端部の支柱列４のパイプ支柱１を除く左右方向中間のパイプ支柱１の上端部１ａと前後連結パイプ３には、後部張線１２及び前部張線１３を固定するフックバンド１４ａ，１４ｂが設けられている。
【００３２】
図４は、パイプ支柱１に後部張線１２を固定するフックバンド１４ａを示しており、固定ねじ１５で鉛直のパイプ支柱１に固定したフックバンド１４ａの前面には、手前に張り出して上方へ曲げられたフック１６が形成してあり、このフック１６に後部張線１２を嵌合させた後、フック１６を叩いてフックバンド１４ａ側へ変形させることにより後部張線１２をパイプ支柱１に固定している。更に、後部張線１２とパイプ支柱１にステンレス線等の補強ワイヤ１７を巻き付けて固定しており、これにより、左右のパイプ支柱１は相互に固定される。
【００３３】
図５は、前後連結パイプ３に前部張線１３を連結固定するフックバンド１４ｂを示しており、固定ねじ１５で水平の前後連結パイプ３に固定したフックバンド１４ｂの上面には、上方に張り出して手前へ曲げられたフック１６が形成してあり、このフック１６に前部張線１３を嵌合させた後、フック１６を叩いてフックバンド１４ｂ側へ変形させることにより前部張線１３を前後連結パイプ３に固定している。更に、前部張線１３と前後連結パイプ３にステンレス線等の補強ワイヤ１７を巻き付けて固定しており、これにより、左右の前後連結パイプ３は相互に固定される。
【００３４】
図１(ｃ)に示すように、各支柱列４における最も手前側の追加支柱１'と最も奥側のパイプ支柱１には、各支柱列４の内側へ傾斜した筋交パイプ１８を設けている。更に、各支柱列４の夫々のパイプ支柱１の前後には下方へ緊張させて地面に固定する内側アンカ１９を設けている。各支柱列４は、地面に立設されたパイプ支柱１と筋交パイプ１８と内側アンカ１９によって、前後方向に高い強度を有している。
【００３５】
図１(ａ)、(ｂ)及び図３に示すように、左端部の支柱列４におけるパイプ支柱１の上端部１ａに対する後部張線１２の固定部と、左端部の支柱列４における前後連結パイプ３に対する前部張線１３の固定部には、左側外部の地面に緊張して固定するようにした外側アンカ２０を設ける。又、右端部の支柱列４におけるパイプ支柱１の上端部１ａに対する後部張線１２の固定部と、右端部の支柱列４における前後連結パイプ３に対する前部張線１３の固定部には、右側外部の地面に緊張して固定するようにした外側アンカ２０を設ける。
【００３６】
上記したように、支柱列４と、左右の支柱列４の上部に左右間隔Ｋを跨いで連結する後部湾曲パイプ５及び前部湾曲パイプ６と、後部湾曲パイプ５及び前部湾曲パイプ６の湾曲を保持するように張設した後部張線１２及び前部張線１３と、後部張線１２及び前部張線１３の張力を保持するように左右外側の地面に設けた外側アンカ２０とにより、発電モジュール取付台２１が構成される。このように、左右の支柱列４を連結する後部湾曲パイプ５及び前部湾曲パイプ６と、後部湾曲パイプ５及び前部湾曲パイプ６の湾曲を保持するように張設した後部張線１２及び前部張線１３と、後部張線１２及び前部張線１３の張力を保持するように左右外側の地面に設けた外側アンカ２０とを有する発電モジュール取付台２１は、左右方向の高い強度を保持することができる。
【００３７】
図１、図３に示すように、発電モジュール取付台２１を構成する後部湾曲パイプ５と前部湾曲パイプ６の上部に渡るように太陽光発電モジュール２２が固定される。この時、後部湾曲パイプ５と前部湾曲パイプ６は高さが異なっているため、太陽光発電モジュール２２は手前に向かって低くなるように傾斜して固定される。図３ではこの太陽光発電モジュール２２が後部湾曲パイプ５及び前部湾曲パイプ６の長手方向(左右方向)へ複数固定されている。このように、発電モジュール取付台２１に太陽光発電モジュール２２を設置することにより、太陽光発電設備が構成される。
【００３８】
前記太陽光発電モジュール２２は、図６、図７に示すように、太陽光を電気エネルギー（電力）に変換する太陽光発電用セル２３と、太陽光発電用セル２３を支持するフレーム２４と、ガラス及びバックシート等(省略)を備えた矩形の形状を有している。
【００３９】
後部湾曲パイプ５及び前部湾曲パイプ６の上部に設置する太陽光発電モジュール２２は左右の隣接した相互間に、図６及び図８に示す間隔保持部材２５を設けている。この間隔保持部材２５は、コの字形の両端部に外側へ曲げた爪部２６を形成し、コの字形の底部２７にねじ孔２８を形成した保持金具２９と、後部湾曲パイプ５及び前部湾曲パイプ６に嵌合するＵ字形の両端部にフランジ部３０を形成し、該フランジ部３０に固定孔３１を形成した留め金具３２とにより構成されている。爪部２６が太陽光発電モジュール２２のフレーム２４の上面に掛かるように保持金具２９をフレーム２４間に配置し、後部湾曲パイプ５及び前部湾曲パイプ６に嵌合させた留め金具３２の固定孔３１に前記保持金具２９のねじ孔２８を一致させて、固定孔３１とねじ孔２８に固定ねじ３３を通して締め付ける。これにより、隣接した太陽光発電モジュール２２は後部湾曲パイプ５及び前部湾曲パイプ６に対して所要の間隔を保持して支持される。
【００４０】
又、後部湾曲パイプ５及び前部湾曲パイプ６に沿って設けられた端部の太陽光発電モジュール２２のアーチジョイント８，９の側には、図７、図９に示す端部保持部材３４を設けている。この端部保持部材３４は、一端に爪部３５が形成され、他端にねじ孔３６が形成された底部３７を有するＺ字形に曲げられた固定金具３８と、図８と同一の形状を有する留め金具３２とにより構成されている。爪部３５が端部の太陽光発電モジュール２２のフレーム２４の上面に掛かるように固定金具３８を配置し、後部湾曲パイプ５及び前部湾曲パイプ６に嵌合させた留め金具３２の固定孔３１に前記固定金具３８のねじ孔３６を一致させて、固定孔３１とねじ孔３６に固定ねじ３３を通して締め付ける。これにより、左右方向端部に配置された太陽光発電モジュール２２は後部湾曲パイプ５及び前部湾曲パイプ６に対して支持される。
【００４１】
更に、図１０に示すように、傾斜して支持される太陽光発電モジュール２２と間隔保持部材２５との間には、太陽光発電モジュール２２の位置ずれを防止するための位置ずれ防止部材３９を設ける。図１０の位置ずれ防止部材３９は、太陽光発電モジュール２２のフレーム２４の側面２４ａにおける間隔保持部材２５の上端に対応する位置に、隣接する太陽光発電モジュール２２の相互間へ突出するようにした位置決めねじ４０を設けている。前記太陽光発電モジュール２２は、図１０(ａ)に示すように、フレーム２４に支持した太陽光発電用セル２３の下側が解放された空間となっているので、この空間部分に位置決めねじ４０を設けることができる。傾斜した間隔保持部材２５の上端に位置するように太陽光発電モジュール２２のフレーム２４に位置決めねじ４０を設けたので、位置決めねじ４０が間隔保持部材２５に当接することで、太陽光発電モジュール２２が下方へ位置ずれすることは防止される。
【００４２】
図１０に示したように、間隔保持部材２５の上端に対応するように太陽光発電モジュール２２のフレーム２４に位置決めねじ４０を設けることに加えて、間隔保持部材２５の下端に対応するように太陽光発電モジュール２２のフレーム２４に位置決めねじ４０を設けてもよい。又、上記したように太陽光発電モジュール２２と間隔保持部材２５との間に設けた位置ずれ防止部材３９は、図７、図９に示す太陽光発電モジュール２２と端部保持部材３４との間にも同様に設けることができる。
【００４３】
太陽光発電モジュール２２は、図１１に示すように、太陽に向かうよう地面に対して例えば２０°〜６０°の角度αで設けることができる。この時、各支柱列４の前後方向に設けられるパイプ支柱１の前後間隔Ｌは、後部湾曲パイプ５及び前部湾曲パイプ６の上部に設けられて前後に配置される太陽光発電モジュール２２の間を通して太陽光の一部が地面に導かれる採光間隔Ｙを形成するように配置される。即ち、図１１において、平面視で太陽光発電モジュール２２の前後の幅Ｘに対して、採光間隔Ｙが同等以上の間隔になるようにパイプ支柱１を前後間隔Ｌで配置する。すると、採光間隔Ｙを通って太陽光の一部が地面に導かれるようになる。ここで、採光間隔Ｙを通って太陽光が地面を照射する位置は、時間及び季節によって変化するため、太陽光発電設備が設置された全ての地面に対して太陽光を届かせることができる。
【００４４】
図１１、図１２は、図１の実施例に更に別の特徴を備えた実施例を示している。図１１、図１２の実施例では、前部湾曲パイプ６に、採光間隔Ｙからの太陽光Ｒを散乱させるようにした光散乱材４１を吊り下げて設けている。この光散乱材４１には、光反射性のテープ等を用いることができ、前部湾曲パイプ６の長手方向に所要の間隔で取り付ける。上記した光散乱材４１を備えると、採光間隔Ｙからの太陽光Ｒを散乱させることができるため、太陽光発電モジュール２２によって地面の影となっている部分Ｄにも太陽光の一部が届くようになる。
【００４５】
次に、上記実施例の作動を説明する。
【００４６】
図１に示すように、前後に立設した各パイプ支柱１の上端部１ａよりも下部位置を前後連結パイプ３で連結した支柱列４を、左右方向に左右間隔Ｋを有して複数構成する。各支柱列４における最も手前側の追加支柱１'と最も奥側のパイプ支柱１には、各支柱列４の内側へ傾斜した筋交パイプ１８を設け、更に、各支柱列４のパイプ支柱１の前後には下方へ緊張させて地面に固定した内側アンカ１９を設ける。支柱列４は、地面に立設されたパイプ支柱１と筋交パイプ１８と内側アンカ１９によって、前後方向に高い強度を保持することができる。
【００４７】
更に、左右の支柱列４のパイプ支柱１の上端部１ａに左右間隔Ｋを跨いで連結した後部湾曲パイプ５と、前後連結パイプ３における後部湾曲パイプ５が連結されたパイプ支柱１よりも手前の位置において、左右間隔Ｋを跨いで連結した前部湾曲パイプ６と、後部湾曲パイプ５及び前部湾曲パイプ６の湾曲形状を保持するように左右端部の支柱列４間に張設した後部張線１２及び前部張線１３と、後部張線１２及び前部張線１３の張力を保持するように左右端部の支柱列４を左右外側の地面に固定する外側アンカ２０とにより、発電モジュール取付台２１を構成する。
【００４８】
上記した発電モジュール取付台２１は、パイプと、張線と、アンカ等の既存の簡略な構成部材の組み合わせによって組み立てることができ、しかも前後・左右方向に対して高い強度を保持することができる。
【００４９】
ここで、パイプ支柱１と前後連結パイプ３に、後部湾曲パイプ５及び前部湾曲パイプ６の端部５'，６'に嵌合して後部湾曲パイプ５及び前部湾曲パイプ６をパイプ支柱１及び前後連結パイプ３に連結するためのアーチジョイント８，９を備えることにより、パイプ支柱１及び前後連結パイプ３に対して後部湾曲パイプ５及び前部湾曲パイプ６を連結する操作を容易に行うことができる。
【００５０】
そして、図１、図３に示すように構成された発電モジュール取付台２１の後部湾曲パイプ５と前部湾曲パイプ６の上部に太陽光発電モジュール２２を配置し、図６、図８に示す間隔保持部材２５、図７、図９に示す端部保持部材３４、及び図１０に示す位置ずれ防止部材３９により、太陽光発電モジュール２２を後部湾曲パイプ５と前部湾曲パイプ６に固定する。これにより、太陽光発電設備が構成される。
【００５１】
上記太陽光発電設備では、図１１に示すように、前後に配置される太陽光発電モジュール２２の間を通して太陽光Ｒの一部が地面に導かれる採光間隔Ｙが形成される。従って、太陽光Ｒの一部が採光間隔Ｙを通って地面に導かれるようになり、更に、採光間隔を通って太陽光Ｒが地面を照射する位置は、時間及び季節によって変化することから、太陽光発電設備が設置された全ての地面に対して太陽光Ｒを届かせることができる。
【００５２】
従って、上記太陽光発電設備によれば、農地での作物の栽培と発電を両立させることができる。
【００５３】
又、図１１、図１２に示すように、前部湾曲パイプ６に対して、採光間隔Ｙからの太陽光Ｒを散乱させるようにした光散乱材４１を吊り下げて設けると、採光間隔Ｙからの太陽光Ｒが散乱し、太陽光発電モジュール２２によって地面の影となっている部分Ｄにも太陽光Ｒの一部が届くようになる。従って、地面に届く太陽光Ｒを平均化させることにより、作物の栽培をより向上させることができる。
【００５４】
尚、本発明の太陽光発電設備は、上述の実施例にのみ限定されるものではなく、本発明の要旨を逸脱しない範囲内において種々変更を加え得ることは勿論である。
【符号の説明】
【００５５】
１      パイプ支柱
１ａ    上端部
３      前後連結パイプ
４      支柱列
５      後部湾曲パイプ
５'     端部
６      前部湾曲パイプ
６'     端部
８      アーチジョイント
９      アーチジョイント
１２    後部張線
１３    前部張線
１８    筋交パイプ
１９    内側アンカ
２０    外側アンカ
２１    発電モジュール取付台
２２    太陽光発電モジュール
４１    光散乱材
Ｋ      左右間隔
Ｌ      前後間隔
Ｒ      太陽光
Ｙ      採光間隔
【図１】
0006339903.tif 000002
【図２】
0006339903.tif 000003
【図３】
0006339903.tif 000004
【図４】
0006339903.tif 000005
【図５】
0006339903.tif 000006
【図６】
0006339903.tif 000007
【図７】
0006339903.tif 000008
【図８】
0006339903.tif 000009
【図９】
0006339903.tif 000010
【図１０】
0006339903.tif 000011
【図１１】
0006339903.tif 000012
【図１２】
0006339903.tif 000013